(57)【特許請求の範囲】
【請求項１】
透液性のトップシートと、
バックシートと、
前記トップシートと前記バックシートの間に介在される吸収体と、
前記吸収体の長手方向両側部近傍において前記長手方向に沿って前記バックシートを覆うように配置された立体ギャザーと、から成る吸収性物品であって、
前記バックシートが、前記立体ギャザーの幅方向に巻き込まれ、かつ、
前記立体ギャザーの起立根元部において前記立体ギャザーと共にエンボス加工により硬化固定され、
前記エンボス加工は、長手方向に前記立体ギャザーに沿って、前記吸収体の長手方向両端部の間に間隔をあけて複数の孔部を形成し、
これにより前記吸収体の撚れが防止される、
ことを特徴とする吸収性物品。
【請求項２】
前記立体ギャザーの起立根元部が接着剤により固着されることにより前記立体ギャザーの起立根元部が硬化固定される請求項１記載の吸収性物品。
【発明の詳細な説明】
【技術分野】
【０００１】
本発明は、使い捨て失禁パッド、尿パッド等の吸収性物品に関する。
【背景技術】
【０００２】
従来、例えば、特開２００１−１２０５９７号公報で、吸収体の両側部を覆うように防漏シートが配置され、防漏シートの一方の端部をトップシートと接合し、もう一方の端部をバックシートと接合し、装着時の撚れを防止し、さらに、漏れを防止し、かつ装着感に優れた吸収性物品が提案されている。  
【０００３】
【特許文献１】特開２００１−１２０５９７号公報
【発明の開示】
【発明が解決しようとする課題】
【０００４】
そこで、本発明は、装着時の撚れを防止し、さらに、尿、便等の漏れを防止し、かつ装着感に優れた失禁パッド、尿パッド等の吸収性物品を提供することを目的とする。
【課題を解決するための手段】
【０００５】
請求項１の本発明は、透液性のトップシートと、
バックシートと、
前記トップシートと前記バックシートの間に介在される吸収体と、
前記吸収体の長手方向両側部近傍において前記長手方向に沿って前記バックシートを覆うように配置された立体ギャザーと、から成る吸収性物品であって、
前記バックシートが、前記立体ギャザーの幅方向に巻き込まれ、かつ、
前記立体ギャザーの起立根元部において前記立体ギャザーと共にエンボス加工により硬化固定され、
前記エンボス加工は、長手方向に前記立体ギャザーに沿って、前記吸収体の長手方向両端部の間に間隔をあけて複数の孔部を形成し、
これにより前記吸収体の撚れが防止される、
ことを特徴とする吸収性物品である。
【０００６】
請求項２の本発明は、前記立体ギャザーの起立根元部が接着剤により固着されることにより前記立体ギャザーの起立根元部が硬化固定される請求項１記載の吸収性物品である。
【発明の効果】
【０００７】
請求項１の本発明によれば、図１、図２に示される吸収体３の周縁部を固定することにより吸収体３の撚れが防止される。バックシート２は立体ギャザー４の幅方向に巻き込まれ、立体ギャザー４の起立根元部が孔部５のようにエンボス加工されることにより硬化され、装着時の撚れが防止される。  その結果、尿、便等の漏れを防止し、かつ装着感に優れる。
請求項２の本発明によれば、図４に示される立体ギャザー４の起立根元部、つまり、バックシート２の裏面等がホットメルト接着剤等の接着剤７により固着されることにより立体ギャザー４の起立根元部が硬化され、装着時の撚れが防止される。  その結果、尿、便等の漏れを防止し、かつ装着感に優れる。
【発明を実施するための最良の形態】
【０００８】
以下、本発明を、その実施例に基づいて、図面を参照して説明する。
【実施例１】
【０００９】
図１、図２に示されるように、本発明の実施例１の吸収性物品６は、不織布等からなる透液性のトップシート１と、バックシート２の間に、綿状パルプ等の吸収体３を介在させた構造である。なお、本発明の対象となる紙おむつ型式は、テープ式紙おむつ、パンツ式紙おむつのいずれでも良く、かつ装着対象者も大人用、ベビー用のいずれでも良い。以下、吸収性物品６について詳述する。
吸収体３は、図１及び図２に示されるように、方形に成形されたものが使用されているが、着用状況に合わせて略砂時計形状のものも可能である。その幅寸法は股間部への当たりによって着用者にゴワ付き感を与えない寸法幅となっている。この吸収体３は、形状保持とトップシート１を透過した体液の拡散性向上のためにクレープ紙（図示せず）によって囲繞されている。
【００１０】
吸収体の表面側（肌当接面側）を覆うトップシート１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。トップシート１に多数の透孔を形成した場合には、尿などが速やかに吸収されるようになりドライタッチ性に優れたものとなる。
【００１１】
バックシート２は、図２に示されるように、吸収体３の裏面側（非肌当接面側）を覆い、さらに両側部が吸収性物品６の表面側に巻き込まれ、立体ギャザー４の幅方向の途中の所定位置まで延在する。バックシート２の材質は、ポリエチレン、ポリプロピレン、ポリシートと不織布とを貼り合わせたもの、不織布等が用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。バックシート２の前端部１１および後端部１２では、吸収体３の存在しないエンドフラップ部１１ａ、１２ａが形成され、同様に両側部では吸収体３の存在しないサイドフラップ部１１ｂ、１２ｂが形成されている。
【００１２】
本発明の実施例１の吸収性物品６の表面側両側部には、トップシート１の側部を覆うとともに、バックシート２の側縁を超えてバックシート２を覆うように所定の幅位置まで延在する立体ギャザー４が配設されている。すなわち、立体ギャザー４の内方側が二重に折り返され、この折返し部分に弾性伸縮部材８が配設され、内方側シート部分が弾性伸縮部材８の伸縮力を利用して表面側に起立するようになっている。この弾性伸縮部材８は、足回りの隙間を無くし漏れを無くすためのものである。
さらに、図１、図２に示される立体ギャザー４の起立根元部が孔部５のようにエンボス加工されることにより硬化され、装着時の撚れが防止される。
その結果、尿、便等の漏れを防止し、かつ装着感に優れる。
また、図３に示されるように吸収体３の両側部が上方の内側にトップシート１及びバックシート２と共に延在する場合もある。
【実施例２】
【００１３】
図４には本発明の実施例２が示され、立体ギャザー４の起立根元部、つまり、バックシート２の裏面等がホットメルト接着剤等の接着剤７により固着されることにより立体ギャザー４の起立根元部が硬化され、装着時の撚れが防止される。  その結果、尿、便等の漏れを防止し、かつ装着感に優れる。
【実施例３】
【００１４】
図５、図６には本発明の実施例３が示され、吸収体３の長手方向両側部にウレタン、スポンジ等の低反発性素材から成る弾性体９が挿入されることにより立体ギャザー４の起立根元部が硬化され、装着時の撚れが防止される。  その結果、尿、便等の漏れを防止し、かつ装着感に優れる。
【産業上の利用可能性】
【００１５】
本発明は、失禁パッド、尿パッド、ナプキン等の吸収性物品であり、装着対象となるおむつ型式は、テープ式おむつ、パンツ式おむつのいずれでも良く、かつ装着対象者も大人用、ベビー用のいずれにも適用可能である。又、吸収性物品単独にても男性の排尿に供することも可能である。
【図面の簡単な説明】
【００１６】
【図１】本発明の実施例１の斜視図である。
【図２】図１の実施例１のＡ−Ａ線断面図である。
【図３】図１の実施例１の変形例の断面図である。
【図４】本発明の実施例２の断面図である。
【図５】本発明の実施例３の斜視図である。
【図６】図５の実施例３のＢ−Ｂ線断面図である。
【符号の説明】
【００１７】
１    トップシート  ２  バックシート  
３    吸収体        ４  立体ギャザー  
５    孔部          ６  吸収性物品
７    接着剤        ９  弾性体
【図１】
0004669232.tif 000002
【図２】
0004669232.tif 000003
【図３】
0004669232.tif 000004
【図４】
0004669232.tif 000005
【図５】
0004669232.tif 000006
【図６】
0004669232.tif 000007